(57)【要約】【課題】記録・再生品位を向上させる。【解決手段】光ディスクに対して発光するレーザ素子と、前記レーザ光の発光レベルを観測するための受光素子と、を有し、前記光ディスクを再生する場合には、前記レーザ素子の発光レベルを一定な再生レベルに設定すべく制御を行い、前記光ディスクへ記録を行う場合には、前記レーザ素子の発光レベルを、前記光ディスク上に記録マークを形成するマーク区間では記録レベル、また、前記記録マークの間のスペース区間では前記記録レベルより低レベルのスペースレベルに設定すべく制御を行う光ディスク装置において、前記光ディスクを再生する場合に、前記受光素子を介して観測される前記レーザ素子の前記再生レベルと、前記光ディスクへ記録を行う場合に、前記受光素子を介して観測される前記レーザ素子の前記スペースレベルと、を一致させるべく調整を行う制御部を有する。【選択図】    図１
2005222666.tif 000002
【特許請求の範囲】
【請求項１】
光ディスクに対して発光するレーザ素子と、前記レーザ光の発光レベルを観測するための受光素子と、を有し、前記光ディスクを再生する場合には、前記レーザ素子の発光レベルを一定な再生レベルに設定すべく制御を行い、前記光ディスクへ記録を行う場合には、前記レーザ素子の発光レベルを、前記光ディスク上に記録マークを形成するマーク区間では記録レベル、また、前記記録マークの間のスペース区間では前記記録レベルより低レベルのスペースレベルに設定すべく制御を行う光ディスク装置において、
前記光ディスクを再生する場合に、前記受光素子を介して観測される前記レーザ素子の前記再生レベルと、前記光ディスクへ記録を行う場合に、前記受光素子を介して観測される前記レーザ素子の前記スペースレベルと、を一致させるべく調整を行う制御部を有すること、を特徴とする光ディスク装置。
【請求項２】
前記制御部は、
前記光ディスクを再生した場合に、前記受光素子を介して観測される前記レーザ素子の前記再生レベルを記憶しておき、
前記光ディスクへの記録を開始する場合に、前記受光素子を介して観測される前記スペースレベルを、前記記憶しておいた前記再生レベルに一致させるべく調整を行うこと、
を特徴とする請求項１に記載の光ディスク装置。
【請求項３】
前記光ディスク装置は、
前記受光素子を介して生成される当該発光レベルに応じた受光信号のレベルを所定期間保持するための保持部と、
前記保持部において保持された保持値を、前記再生レベルもしくは前記スペースレベルを設定するための目標値に一致させるべく調整を行うＡＰＣ（Automatic Power Control）部と、を有しており、
前記制御部は、
前記光ディスクを再生した場合に前記保持部において保持される第１の保持値を記憶しておき、
前記光ディスクへ記録を開始する場合には、前記保持部において保持される第２の保持値を、前記記憶しておいた前記第１の保持値に一致させるべく調整を行うこと、
を特徴とする請求項２に記載の光ディスク装置。
【請求項４】
前記光ディスク装置は、
前記光ディスクを再生する場合に、前記レーザ素子の発光レベルを前記再生レベルに設定するための第１の目標値を生成して前記ＡＰＣ部に供給する第１の目標値生成部と、
前記光ディスクへ記録を行う場合に、前記レーザ素子の前記スペース区間の発光レベルを前記スペースレベルに設定するための第２の目標値を生成して前記ＡＰＣ部に供給する第２の目標値生成部と、を有しており、
前記制御部は、
前記第１の目標値と、当該第１の目標値に基づいてＡＰＣが実行されたときの前記第１の保持値と、を対応づけた第１の対応づけを記憶しておき、
前記第１の対応づけに基づいて、所定の前記第１の目標値に対応づけられた前記第１の保持値を取得し、
前記第２の目標値を初期値から可変させてＡＰＣが実行されたときの前記第２の保持値を逐次取得するともに、前記取得した第１の保持値との比較を行い、
当該比較の結果が一致を示すときの前記第２の目標値に基づいて、前記光ディスクへの記録を開始すること、
を特徴とする請求項３に記載の光ディスク装置。
【請求項５】
前記制御部は、
前記所定の第１の目標値と、前記比較の結果が一致を示すときの前記第２の目標値とのサンプルデータを複数取得し、
前記サンプルデータに基づいて、前記所定の第１の目標値と、前記比較の結果が一致を示すときの前記第２の目標値と、を対応づけた第２の対応づけを記憶しておき、
前記光ディスクへの記録を開始する場合には、前記第２の対応づけに基づいて当該記録に応じた前記第２の目標値を取得すること、
を特徴とする請求項４に記載の光ディスク装置。
【請求項６】
前記制御部は、
前記第１の目標値と、当該第１の目標値に基づいてＡＰＣが実行されたときの前記第１の保持値のサンプルデータを複数取得し、前記サンプルデータに基づいて前記第１の対応づけを算定すること、
を特徴とする請求項４に記載の光ディスク装置。
【請求項７】
光ディスクに対して発光するレーザ素子と、前記レーザ光の発光レベルを観測するための受光素子と、を有し、前記光ディスクを再生する場合には、前記レーザ素子の発光レベルを一定な再生レベルに設定すべく制御を行い、前記光ディスクへ記録を行う場合には、前記レーザ素子の発光レベルを、前記光ディスク上に記録マークを形成するマーク区間では記録レベル、また、前記記録マークの間のスペース区間では前記記録レベルより低レベルのスペースレベルに設定すべく制御を行う光ディスク装置のレーザ発光レベル調整方法であって、
前記光ディスクを再生する場合に、前記受光素子を介して観測される前記レーザ素子の前記再生レベルと、前記光ディスクへ記録を行う場合に、前記受光素子を介して観測される前記レーザ素子の前記スペースレベルと、を一致させるべく調整を行うこと、を特徴とするレーザ発光レベル調整方法。
【請求項８】
光ディスクに対して発光するレーザ素子と、前記レーザ光の発光レベルを観測するための受光素子と、を有し、前記光ディスクを再生する場合には、前記レーザ素子の発光レベルを一定な再生レベルに設定すべく制御を行い、前記光ディスクへ記録を行う場合には、前記レーザ素子の発光レベルを、前記光ディスク上に記録マークを形成するマーク区間では記録レベル、また、前記記録マークの間のスペース区間では前記記録レベルより低レベルのスペースレベルに設定すべく制御を行う光ディスク装置に対して、レーザ発光レベル調整方法を実行させるためのプログラムであって、
前記光ディスク装置に対して、前記光ディスクを再生する場合に、前記受光素子を介して観測される前記レーザ素子の前記再生レベルと、前記光ディスクへ記録を行う場合に、前記受光素子を介して観測される前記レーザ素子の前記スペースレベルと、を一致させるべく調整を行わせることを特徴とするプログラム。
【発明の詳細な説明】
【技術分野】
【０００１】
本発明は、光ディスクの記録・再生品位を向上させた光ディスク装置及びレーザ発光レベル調整方法、プログラムに関する。
【背景技術】
【０００２】
レーザダイオード（以下、ＬＤ（Laser Diode））により発光するレーザ光を利用して、光ディスクへの記録・再生を行う光ディスク装置では、通常、レーザ光の出射方向の正面側にフロントモニタダイオード（以下、ＦＭＤ（Front Monitor Diode））が配設されている。ＦＭＤは、ＬＤから出射するレーザ光の一部を受光して、ＬＤの発光パワー（『発光レベル』）に比例した受光電流（以下、受光信号）を生成するものである。光ディスク装置は、この受光信号をＩ／Ｖ変換に変換した電圧に基づいて、光ディスクの記録・再生時にＬＤの発光パワーが一定なレベルとなるように、ＡＰＣ（Automatic Power Control）のサーボ制御を実施するのである。
【０００３】
図８は、ＣＤ−ＲやＤＶＤ−Ｒなどの追記型の光ディスクの記録・再生時において、ＦＭＤを介して生成される受光信号の波形を示す図である。なお、受光信号のレベルは、ＬＤの発光レベルを反転させた状態で現れる。ここで、光ディスク再生時では、受光信号の電圧は一定なレベル（『再生レベル』）に維持されるため、すなわち、ＬＤの発光パワーもまた一定なリードパワー（『再生レベル』）に維持される。
【０００４】
一方、光ディスク記録時では、受光信号の電圧レベルは、光ディスク上へ記録マークを形成するマーク区間では第１のレベル（『記録レベル』）、また、隣り合う記録マークの間のスペース区間では第１のレベルよりも高い第２のレベル（『スペースレベル』）となる。すなわち、光ディスク記録時では、ＬＤの発光パワーは、マーク区間ではライトパワー（『記録レベル』）、スペース区間ではライトパワーよりも低いリードパワー（『スペースレベル』）となる（以下に示す特許文献１を参照）。
【特許文献１】特開平１１−６６５９４号公報
【発明の開示】
【発明が解決しようとする課題】
【０００５】
ところで、従来の光ディスク装置では、光ディスクの再生時と記録時において、ＡＰＣのサーボ制御系がそれぞれ異なる。例えば、ＣＰＵから供給されたＬＤの発光パワーの目標値（デジタル値）をＤ／Ａ変換してＡＰＣ回路に供給するためのＤ／Ａコンバータは、光ディスクの再生用と記録用それぞれに対して設けられる。
【０００６】
このため、光ディスクの再生用と記録用のＤ／Ａコンバータの特性の違いなどによって、光ディスクの再生時と記録時のＡＰＣのサーボ制御系のゲイン定数にズレが生じてしまい、光ディスク再生時のＬＤの発光パワー（『再生レベル』）と、光ディスク記録時のスペース区間におけるＬＤの発光パワー（『スペースレベル』）と、が異なる場合があった。
【０００７】
この場合、光ディスク記録中において、スペース区間のＬＤの発光パワーが再生不可能なレベルとなってしまい、この結果、ＴＥ（トラッキングエラー）信号やＦＥ（フォーカスエラー）信号が適切なレベルとならず、トラッキングサーボやフォーカスサーボのサーボ破綻を引き起こす恐れがあった。
【０００８】
また、光ディスク記録中では、マーク区間において記録マークが形成されるのと併行して、スペース区間の発光パワーに応じてＡＴＩＰ（Absolute Time In Pregroove）などの制御情報がＲＦ信号として再生される。しかしながら、スペース区間の発光パワーが適切なレベルとならないため、ＲＦ信号もまた適切なレベルとはならず、光ディスクからＡＴＩＰなどの制御情報が正しく再生されない。そして、最悪の場合、光ディスクに対して無効なデータが記録されてしまい、光ディスクを無駄に消費する恐れがあった。
【課題を解決するための手段】
【０００９】
前述した課題を解決するための主たる本発明は、光ディスクに対して発光するレーザ素子と、前記レーザ光の発光レベルを観測するための受光素子と、を有し、前記光ディスクを再生する場合には、前記レーザ素子の発光レベルを一定な再生レベルに設定すべく制御を行い、前記光ディスクへ記録を行う場合には、前記レーザ素子の発光レベルを、前記光ディスク上に記録マークを形成するマーク区間では記録レベル、また、前記記録マークの間のスペース区間では前記記録レベルより低レベルのスペースレベルに設定すべく制御を行う光ディスク装置において、前記光ディスクを再生する場合に、前記受光素子を介して観測される前記レーザ素子の前記再生レベルと、前記光ディスクへ記録を行う場合に、前記受光素子を介して観測される前記レーザ素子の前記スペースレベルと、を一致させるべく調整を行う制御部を有することとする。
【００１０】
また、本発明のその他の実施態様としては、光ディスクに対して発光するレーザ素子と、前記レーザ光の発光レベルを観測するための受光素子と、を有し、前記光ディスクを再生する場合には、前記レーザ素子の発光レベルを一定な再生レベルに設定すべく制御を行い、前記光ディスクへ記録を行う場合には、前記レーザ素子の発光レベルを、前記光ディスク上に記録マークを形成するマーク区間では記録レベル、また、前記記録マークの間のスペース区間では前記記録レベルより低レベルのスペースレベルに設定すべく制御を行う光ディスク装置のレーザ発光レベル調整方法であって、前記光ディスクを再生する場合に、前記受光素子を介して観測される前記レーザ素子の前記再生レベルと、前記光ディスクへ記録を行う場合に、前記受光素子を介して観測される前記レーザ素子の前記スペースレベルと、を一致させるべく調整を行うこととする。
【００１１】
また、本発明のその他の実施態様としては、光ディスクに対して発光するレーザ素子と、前記レーザ光の発光レベルを観測するための受光素子と、を有し、前記光ディスクを再生する場合には、前記レーザ素子の発光レベルを一定な再生レベルに設定すべく制御を行い、前記光ディスクへ記録を行う場合には、前記レーザ素子の発光レベルを、前記光ディスク上に記録マークを形成するマーク区間では記録レベル、また、前記記録マークの間のスペース区間では前記記録レベルより低レベルのスペースレベルに設定すべく制御を行う光ディスク装置に対して、前記レーザ素子の発光レベルを調整する方法を実行させるプログラムであって、前記光ディスク装置に対して、前記光ディスクを再生する場合に、前記受光素子を介して観測される前記レーザ素子の前記再生レベルと、前記光ディスクへ記録を行う場合に、前記受光素子を介して観測される前記レーザ素子の前記スペースレベルと、を一致させるべく調整を行わせることとする。
【発明の効果】
【００１２】
本発明によれば、記録・再生品位を向上させる光ディスク装置及びレーザ発光レベル調整方法、プログラムを提供することができる。
【発明を実施するための最良の形態】
【００１３】
＜システム構成＞
図１は、本発明に係る光ディスク装置２００のシステム構成を示す図である。  
光ディスク装置２００の制御対象とする光ディスク１０の種別は、ＣＤ−ＲやＤＶＤ−Ｒなどの追記型とする。
【００１４】
光ピックアップ２０は、ＬＤ２１、ＦＭＤ２２、光検出器２３（以下、ＰＤ（Photo Detector）と称する。）や、その他、対物レンズなどの光学レンズ（不図示）を備える。さらに、光ピックアップ２０は、スレッド送り制御用、トラッキング制御用、フォーカス制御用の各アクチュエータを備えるが、それらの図示ならびに説明は省略する。
【００１５】
ＬＤ（『レーザ素子』）２１は、ＬＤドライバー３０から供給される駆動電流に基づいて、光ディスク１０への記録・再生を行うためのレーザ光を出射するものである。ここで、ＬＤ２１の駆動方式としては、ノンマルチパルス方式を採用する。ノンマルチパルス方式とは、ＬＤの発光パワーを、マーク区間ではライトパワー（『記録レベル』）、また、スペース区間ではリードパワー（『スペースレベル』）として、１つの記録マークを１つの記録パルスで形成させる方式である。
【００１６】
なお、ノンマルチパルス方式において、マーク区間における先頭側の所定区間、バイアス値Δ（ライトパワーとリードパワーの差分値の数％〜２０％程度）を重畳させてＬＤ２１を駆動してもよい。また、ＬＤ２１の駆動方式として、マルチパルス方式を採用してもよい。マルチパルス方式とは、スペース区間ではリードパワーを一定とし、マーク区間では、ライトパワーとリードパワーとの間を繰り返す記録パルス列でＬＤ２１を駆動させる方式である。
【００１７】
ＦＭＤ２２は、ＬＤ２１の正面側に取り付けられており、ＬＤ２１から光ディスク１０に対して出射されたレーザ光の一部を受光して、この受光光量に比例した受光電流を生成する。この受光電流は、ＬＤ２１の発光パワー（『発光レベル』）に比例するため、ＦＭＤ２２は、ＬＤ２１の発光レベルを観測するための受光素子といえる。なお、ＦＭＤ２２で生成された受光電流（以下、『受光信号』と称する。）は、Ｉ／Ｖ変換器（不図示）を介して電圧に変換されて、ＳＨ回路１０１、１１３に供給されることとする。
【００１８】
ＰＤ２３は、光ディスク１０からの反射光の一部を受光して、この受光光量に比例した受光電流（以下、検出信号と称する。）を生成するものである。なお、ＰＤ２３で生成された検出信号は、Ｉ／Ｖ変換器（不図示）を介して電圧に変換されて、フロントエンド処理回路４０に供給される。
【００１９】
フロントエンド処理回路４０は、ＰＤ２３から供給された検出信号に基づいて、光ピックアップ２０が備えるトラッキング制御用アクチュエータを駆動するためのＴＥ（Tracking Error）信号、光ピックアップ２０が備えるフォーカス制御用アクチュエータを駆動するためのＦＥ（Focus Error）信号、光ディスク１０に記録された情報やＡＴＩＰ情報などを含んだＲＦ信号を生成するものである。
【００２０】
サーボ制御回路５０は、フロントエンド処理回路４０から供給されたＴＥ信号、ＦＥ信号などに基づいて、トラッキングサーボやフォーカスサーボなどの光ピックアップ２０に対するサーボ制御を行うものである。
【００２１】
システムコントローラ（『制御部』）６０は、ＣＰＵ、マイクロプロセッサ、マイクロコンピュータなどとして実施され、光ディスク装置２００全般のシステム制御を司るものである。例えば、システムコントローラ６０は、光ディスク１０への記録・再生を行う場合、光ディスク１０に応じた復調・変調処理を施すために、エンコーダ／デコーダ８０を起動するのである。  
システムコントローラ６０が備える各機能は、ソフトウェア（プログラム）として実現されており、システムコントローラ６０がアクセス可能なメモリ７０に格納される。もちろん、システムコントローラ６０が備える各機能は、ハードウェア（回路）として実現されてもよい。
【００２２】
システムコントローラ６０は、特に、ＡＰＣ回路（１０５、１１５）やＡＣＣ回路１１２を適宜なタイミングで稼動させるべく、つぎのような処理を行うこととする。  
システムコントローラ６０は、光ディスク再生時において、ＬＤ２１の発光パワーを一定なリードパワーＰｘ（『再生レベル』）にさせるべく、リードパワーＰｘを設定するためのＲＥＤＡ設定値Ｘ（『第１の目標値』）を、Ｄ／ＡコンバータであるＲＥＤＡ（『第１の目標値生成部』）１０２に対して供給する。  
同様に、システムコントローラ６０は、光ディスク記録時において、ＬＤ２１のスペース区間の発光パワーを一定なリードパワーＰｙ（『スペースレベル』）にさせるべく、リードパワーＰｙを設定するためのＷＲＤＡ設定値Ｙ（『第２の目標値』）を、Ｄ／ＡコンバータであるＷＲＤＡ（『第２の目標値生成部』）１０３に対して供給するとともに、ＬＤ２１のマーク区間の発光パワーを一定なライトパワーＰｚ（『記録レベル』）にさせるべく、ライトパワーＰｚを設定するためのＷＤＡＣ設定値Ｚ（デジタル値）を、Ｄ／ＡコンバータであるＷＤＡＣ１１４に供給する。
【００２３】
ここで、光ディスク再生時のリードパワーＰｘについてのＡＰＣと、光ディスク記録時のスペース区間のリードパワーＰｙについてのＡＰＣは、共通のＡＰＣ回路１０５において実施される。そこで、システムコントローラ６０は、スイッチ１０４のＯＮ／ＯＦＦを制御することで、光ディスク再生時にはＲＥＤＡ１０２によってＤ／Ａ変換されたＲＥＤＡ設定値Ｘ（アナログ値）、光ディスク記録時にはＷＲＤＡ１０３によってＤ／Ａ変換されたＷＲＤＡ設定値Ｙ（アナログ値）を、ＡＰＣ回路１０５に対して供給させる。
【００２４】
また、システムコントローラ６０は、ＬＤ２１の駆動電流を一定にさせるためのＡＣＣ（Automatic Current Control）を実施すべく、駆動電流を設定するためのＷＤＡＣ設定値Ｗ（デジタル値）を、Ｄ／ＡコンバータであるＷＤＡＣ１１１に対して供給する。
【００２５】
ここで、システムコントローラ６０は、光ディスク記録時には、ＡＰＣもしくはＡＣＣのいずれか一方の制御を選択すべく、スイッチ１１６のＯＮ／ＯＦＦを制御する。この結果、ライトパワー信号発生回路１１７から出力されるライトパワー信号ＶＷＤＣとしては、ＡＣＣ回路１１２の出力又はＡＰＣ回路１１５の出力のいずれか一方が選択されることとなる。
【００２６】
さらに、システムコントローラ６０は、詳細は後述するが、光ディスク再生時にＦＭＤ２２を介して観測されるＬＤ２１の発光パワー（『再生レベル』）と、光ディスク記録時にＦＭＤ２２を介して観測されるＬＤ２１のスペース区間の発光パワー（『スペースレベル』）と、を一致させるべく調整を行う。なお、この調整の際に、システムコントローラ６０は、ＡＤＣ１２０を介してＡ／Ｄ変換された後述のＲＳＨＯ信号を使用する。
【００２７】
メモリ７０は、後述の第１及び第２の対応づけ（５００、７００）を常時記憶しておくため、ＥＥＰＲＯＭなどの不揮発性メモリを採用する。なお、光ディスク装置２００の電源投入時に、後述の第１及び第２の対応づけを改めて算定し直す場合には、ＳＲＡＭやＤＲＡＭなどの揮発性メモリを採用してもよい。
【００２８】
エンコーダ／デコーダ８０は、光ディスク記録時には、コンピュータ３００からインタフェース９０を介して供給される記録データに関して所定の変調処理を行う。また、エンコーダ／デコーダ８０は、光ディスク再生時には、光ディスク１０から再生された信号（ＲＦ信号）に関して所定の復調処理を行う。この復調後のデータは、インタフェース９０を介してコンピュータ３００に供給される。なお、所定の変調／復調処理としては、例えば、ＣＤ−Ｒメディアの場合、ＥＦＭ（Eight to Fourteen Modulation）方式、ＣＩＲＣ（Cross Interleave Reed-Solomon Code）方式が採用される。
【００２９】
また、エンコーダ／デコーダ８０は、サンプル・ホールド信号ＲＡＰＣをＳＨ（Sample Hold）回路１０１に供給する。なお、サンプル・ホールド信号ＲＡＰＣとは、ＳＨ回路１０１に対して、スペース区間に対応した受光信号（電圧）を、所定のサンプリング期間分、サンプル・ホールドさせるための制御信号である。同様に、エンコーダ／デコーダ８０は、サンプル・ホールド信号ＷＡＰＣをＳＨ（Sample Hold）回路１１３に供給する。なお、サンプル・ホールド信号ＷＡＰＣとは、ＳＨ回路１１３に対して、マーク区間に対応した受光信号（電圧）を、所定のサンプリング期間分、サンプル・ホールドさせるための制御信号である。
【００３０】
さらに、エンコーダ／デコーダ８０は、リードパワーＰｙとライトパワーＰｚを繰り返す記録パルス列を形成すべく、スイッチ１０７のＯＮ／ＯＦＦを制御するためのＬＤＯＮ信号、スイッチ１１８のＯＮ／ＯＦＦを制御するためのＰＥＯ信号を、スイッチ（１０７、１１８）に対して供給する。なお、ＬＤＯＮ信号は、スペース区間及びマーク区間ともにスイッチ１０７をＯＮさせるレベル（ＨＩＧＨレベル）とする。ＰＥＯ信号は、スペース区間ではスイッチ１１８をＯＦＦさせるレベル（ＬＯＷレベル）とし、マーク区間ではスイッチ１１８をＯＮさせるレベル（ＨＩＧＨレベル）とする。
【００３１】
ＳＨ回路（『保持部』）１０１は、エンコーダ／デコーダ８０から供給されたサンプル・ホールド信号ＲＡＰＣがＨＩＧＨレベルとなるサンプリング期間、ＦＭＤ２２を介して生成された受光信号（電圧）をサンプル・ホールドする。このとき、サンプル・ホールドされた信号のことを、ＲＳＨＯ信号と称することとする。このＲＳＨＯ信号は、ＡＰＣ回路１０５に供給されるとともに、ＡＤＣ１２０を介してシステムコントローラ６０に供給される。
【００３２】
ＳＨ回路１１３は、エンコーダ／デコーダ８０から供給されたサンプル・ホールド信号ＷＡＰＣがＨＩＧＨレベルとなるサンプリング期間、ＦＭＤ２２を介して生成された受光信号（電圧）をサンプル・ホールドする。このとき、サンプル・ホールドされた信号のことを、ＷＳＨＯ信号と称することとする。このＷＳＨＯ信号は、ＡＰＣ回路１１５に供給される。
【００３３】
ＡＰＣ回路（『ＡＰＣ部』）１０５は、光ディスク再生時において、ＳＨ回路１０１においてサンプル・ホールドされたＲＳＨＯ信号のレベル（『第１の保持値』）と、ＲＥＤＡ１０２によってＤ／Ａ変換されたＲＥＤＡ設定値Ｘ（アナログ値）と、の差分電圧を求める。ＡＰＣ回路１０５は、この差分電圧に基づいて、ＬＤ２１の発光パワーを、一定なリードパワーＰｘとすべくＡＰＣを実行するのである。
【００３４】
また、ＡＰＣ回路１０５は、光ディスク記録時において、ＳＨ回路１０１においてサンプル・ホールドされたＲＳＨＯ信号のレベル（『第２の保持値』）と、ＷＲＤＡ１０３によってＤ／Ａ変換されたＷＲＤＡ設定値Ｙ（アナログ値）と、の差分電圧を求める。ＡＰＣ回路１０５は、この差分電圧に基づいて、ＬＤ２１のスペース区間の発光パワーを、一定なリードパワーＰｙとすべくＡＰＣを実行するのである。
【００３５】
ＡＰＣ回路１１５もまた同様に、ＳＨ回路１１３においてサンプル・ホールドされたＷＳＨＯ信号のレベルと、ＷＤＡＣ１１４によってＤ／Ａ変換されたＷＤＡＣ設定値Ｚ（アナログ値）と、の差分電圧を求める。ＡＰＣ回路１１５は、この差分電圧に基づいて、ＬＤ２１のマーク区間の発光パワーを、一定なライトパワーＰｚとすべくＡＰＣを実行するのである。
【００３６】
ＡＣＣ回路１１２は、ＷＤＡＣ１１１によってＤ／Ａ変換されたＡＣＣ用基準値（アナログ値）に基づいて、ＬＤ２１の駆動電流を一定にさせるべくＡＣＣを実行する。なお、ＡＣＣは、通常、記録マークの先頭区間におけるＬＤ２１の発光パワーを上げて、マーク区間の熱分布を均一にさせるために実施される。
【００３７】
リードパワー信号発生回路１０６は、ＡＰＣ回路１０５からのＡＰＣ出力に基づいてＬＤ２１のリードパワーＰｘもしくはＰｙを一定とすべく、リードパワー信号ＶＲＤＣを生成する。このリードパワー信号ＶＲＤＣは、ＬＤＯＮ信号によってスイッチ１０７がＯＮした場合に、ＬＤドライバー３０に供給される。
【００３８】
ライトパワー信号発生回路１１７は、スイッチ１１６のＯＮ／ＯＦＦによって、ＡＣＣ回路１１２からのＡＣＣ出力又はＡＰＣ回路１１５からのＡＰＣ出力のいずれか一方が供給される。そして、ライトパワー信号発生回路１１７は、ＡＣＣ出力又はＡＰＣ出力に基づいて、ＬＤ２１のライトパワーＰｚを一定とすべく、ライトパワー信号ＶＲＤＣを生成する。このライトパワー信号ＶＲＤＣは、ＰＥＯ信号によってスイッチ１１８がＯＮした場合に、ＬＤドライバー３０に供給される。
【００３９】
ＬＤドライバー３０は、光ディスク再生時には、リードパワー信号発生回路１０４からリードパワー信号ＶＲＤＣのみが供給されてＬＤ２１を駆動することになる。また、光ディスク記録時には、リードパワー信号発生回路１０４から供給されるリードパワー信号ＶＲＤＣと、ライトパワー信号発生回路１１７から供給されるライトパワー信号ＶＷＤＣと、に基づいてＬＤ２１を駆動することになる。
【００４０】
＜光ディスク記録・再生時の主要波形＞
図２は、光ディスク再生時における主要信号の波形図である。  
図２（ａ）は、ＦＭＤ２２を介して生成された受光信号（電圧）の波形図である。光ディスク再生時において、受光信号の電圧レベルは一定なレベルを維持する。  
図２（ｂ）は、ＳＨ回路１０１において受光信号をサンプル・ホールドするためのサンプル・ホールド信号ＲＡＰＣの波形図である。サンプル・ホールド信号ＲＡＰＣは、受光信号の電圧レベルが一定なレベルを維持するため、常時Ｈｉｇｈレベルとして設定される。
【００４１】
図２（ｃ）は、ＳＨ回路１０１においてサンプル・ホールド信号ＲＡＰＣに基づいてサンプル・ホールドされたＲＳＨＯ信号の波形図である。受光信号の電圧レベルが一定なレベルを維持するため、ＲＳＨＯ信号の電圧レベルもまた一定なレベルを維持するのである。
【００４２】
図３は、光ディスク記録時における主要信号の波形図である。  
図３（ａ）は、ＦＭＤ２２を介して生成された受光信号（電圧）の波形図である。なお、受光信号のレベルは、ＬＤ２１の発光レベルを反転させた状態で現れる。  
ここで、光ディスク記録時において、受光信号の電圧レベルは、光ディスク１０上へ記録マークを形成するマーク区間では第１のレベル（『記録レベル』）、また、隣り合う記録マーク間のスペース区間では第１のレベルよりも高い第２のレベル（『スペースレベル』）の状態となる。つまり、ＬＤの発光パワーは、マーク区間ではライトパワー（『記録レベル』）、スペース区間ではライトパワーよりも低いリードパワー（『スペースレベル』）の状態となる。
【００４３】
図３（ｂ）は、ＳＨ回路１０１において、スペース区間の受光信号のレベルをサンプル・ホールドするためのサンプル・ホールド信号ＲＡＰＣの波形図である。サンプル・ホールド信号ＲＡＰＣは、スペース区間内のサンプル・ホールド期間、Ｈｉｇｈレベルとして設定される。  
図３（ｃ）は、ＳＨ回路１１３において、マーク区間の受光信号のレベルをサンプル・ホールドするためのサンプル・ホールド信号ＷＡＰＣの波形図である。サンプル・ホールド信号ＷＡＰＣは、マーク区間内のサンプル・ホールド期間、Ｈｉｇｈレベルとして設定される。  
図３（ｄ）は、ＳＨ回路１０１においてサンプル・ホールド信号ＲＡＰＣに基づいてサンプル・ホールドされたＲＳＨＯ信号と、ＳＨ回路１１３においてサンプル・ホールド信号ＷＰＡＣに基づいてサンプル・ホールドされたＷＳＨＯ信号の波形図である。
【００４４】
ここで、受光信号のレベルは、ＬＤ２１の発光レベルを反転させた状態で現れるため、リードパワーＰｙに対応するＲＳＨＯ信号のレベルは、ライトパワーＰｚに対応するＷＳＨＯ信号のレベルよりも高くなる。また、ＷＲＤＡ１０３ならびにＷＤＡＣ１１４に設定されるＬＤ２１の発光パワーの目標値が大きくなるにつれて、ＲＳＨＯ信号ならびにＷＳＨＯ信号のレベルは低くなることになる。
【００４５】
＜ＬＤ駆動制御＞
＝＝＝概要＝＝＝
光ディスク装置２００は、光ディスク再生時にＦＭＤ２２を介して観測されるＬＤ２１の発光パワー（『再生レベル』）と、光ディスク記録時にＦＭＤ２２を介して観測されるＬＤ２１のスペース区間の発光パワー（『スペースレベル』）と、を一致させるべく調整を行う。
【００４６】
つまり、光ディスク記録中では、ＬＤ２１のスペース区間の発光パワーが、光ディスク再生時のＬＤ２１の発光パワーと同レベルとなるため、光ディスク１０上のマーク区間に記録マークが形成されるのと併行して、ＴＥ信号、ＦＥ信号、さらには、光ディスク１０からＡＴＩＰなどの制御情報が適切なレベルで正しく再生される。このため、トラッキングサーボやフォーカスサーボが安定するとともに、記録品位が向上することとなる。
【００４７】
また、光ディスク記録時において、光ディスク１０上の記録マークの間のスペース区間には、光ディスク再生時のＬＤ２１の発光パワーと同レベルな発光パワーでレーザ光が照射される。よって、当該記録後の光ディスク１０を再生する場合、光ディスク１０上のスペース区間を適切なレベルで再生することができるため、再生品位が向上することとなる。
【００４８】
ここで、特に、光ディスク再生時のＬＤ２１の発光パワーを基準として、光ディスク記録時のＬＤ２１のスペース区間の発光パワーが調整されることとする。すなわち、光ディスク再生時に、ＦＭＤ２２を介して観測されるＬＤ２１の発光パワーを記憶しておき、光ディスク１０への記録を開始する場合、ＦＭＤ２２を介して観測されるＬＤ２１のスペース区間の発光パワーを、記憶しておいた光ディスク再生時のＬＤ２１の発光パワーに一致させるべく調整を行うのである。
【００４９】
ここで、本発明に係るＬＤ２１の発光パワーの調整方法を２つの工程に分けて説明する。  
第１の工程では、光ディスク再生時のＬＤ２１の発光パワーのサンプルデータを求めた上で、ＲＥＤＡ１０２に設定されるＲＥＤＡ設定値ＸとＲＳＨＯ信号のレベル（以下、ＲＳＨＯ（Ｘ）と称する。）と、を対応づけた第１の対応づけ５００を求める。この第１の対応づけ５００におけるＲＳＨＯ（Ｘ）は、光ディスク記録時のＬＤ２１のスペース区間の発光パワーを調整する際の基準となる。  
第２の工程では、第１の対応づけ５００におけるＲＳＨＯ（Ｘ）に基づいて、光ディスク記録時のＬＤ２１の発光パワーが調整される。そして、この調整後に、光ディスク１０への記録が開始されることで、光ディスク記録時にＦＭＤ２２を介して観測されるＬＤ２１のスペース区間の発光パワーが、光ディスク再生時にＦＭＤ２２を介して観測されるＬＤ２１の発光パワーと概略一致した状態となるの。
【００５０】
＝＝＝第１の工程＝＝＝
図４、図５をもとに、前述した第１の工程について説明する。なお、以下の説明は、特に断らない限り、システムコントローラ６０が動作の主体とする。
【００５１】
まず、ＬＤ２１の消灯状態（発光しない状態）で、ＦＭＤ２２には暗電流が流れる。そこで、スイッチ１０７、１１８をＯＦＦさせた状態で、システムコントローラ６０は、Ｈｉｇｈレベルのサンプル・ホールド信号ＲＡＰＣをＳＨ回路１０１に供給する。この結果、システムコントローラ６０は、ＡＤＣ１２０を介して、ＳＨ回路１０１においてサンプル・ホールドされたＲＳＨＯ信号のレベルを取得する（Ｓ４０１）。そして、システムコントローラ６０は、この取得したＲＳＨＯ信号のレベルを変数“ＦＭＤ＿０ｍＷ”に格納して、メモリ７０に記憶しておく（Ｓ４０２）。
【００５２】
つぎに、システムコントローラ６０は、スイッチ１０４においてＲＥＤＡ１０２の出力を選択させるとともにスイッチ１０７をＯＮさせた状態で、ＲＥＤＡ１０２に“１ｍＷ”に応じたＲＥＤＡ設定値を供給して、ＡＰＣを起動させる（Ｓ４０３）。この結果、システムコントローラ６０は、“１ｍＷ”のＬＤ２１の発光パワーに応じたＲＳＨＯ（１ｍＷ）を取得する（Ｓ４０４）。そして、システムコントローラ６０は、この取得したＲＳＨＯ（１ｍＷ）を変数“ＦＭＤ＿１ｍＷ”に格納して、メモリ７０に記憶しておく（Ｓ４０５）。この時点で、ＲＥＤＡ設定値ＸとＲＳＨＯ（Ｘ）のサンプルデータとしては、（０ｍＷ、ＦＭＤ＿０ｍＷ）と（１ｍＷ、ＦＭＤ＿１ｍＷ）の二つのサンプルデータが得られたこととなる。
【００５３】
そこで、この二つのサンプルデータに基づいて、ＲＥＤＡ設定値Ｘと、ＲＳＨＯ（Ｘ）とを対応づけた第１の対応づけ５００を算定して、メモリ７０に記憶しておく。第１の対応づけ５００は、光ディスク記録時のＬＤ２１のスペース区間の発光パワーを調整する際の基準となるものである。ここで、第１の対応づけ５００は、図５に示すように、二つのサンプルデータを単純に直線で結んだ一次の回帰直線“ＲＳＨＯ（Ｘ）＝（ＦＭＤ＿１ｍＷ−ＦＭＤ＿０ｍＷ）×ＲＥＤＡ設定値Ｘ÷（１ｍＷ−０ｍＷ）＋ＦＭＤ＿０ｍＷ”とする。システムコントローラ６０は、第２の工程を実施するにあたって、第１の対応づけ５００からＲＳＨＯ（１ｍＷ）とＲＳＨＯ（２ｍＷ）を算定しておく。
【００５４】
なお、第１の対応づけ５００は、二次以上の多項式や指数関数、対数関数などで表現される回帰曲線としてもよい。さらに、第１の対応づけ５００を算定するにあたっては、二つより多くのサンプルデータを求めた上で、最小二乗法などの近似アルゴリズムを適用してもよい。しかしながら、第１の対応づけ５００を一次の回帰直線とすることで、数多くのサンプルデータの取得や、複雑な演算処理を必要としなくなる。
【００５５】
＝＝＝第２の工程＝＝＝
図６、図７、図８をもとに、前述した第２の工程について説明する。なお、以下の説明は、特に断らない限り、システムコントローラ６０が動作の主体とする。
【００５６】
まず、システムコントローラ６０は、スイッチ１０４においてＷＲＤＡ１０３の出力を選択させるとともにスイッチ１０７をＯＮさせた状態で、ＷＲＤＡ１０３にＷＲＤＡ設定値Ｙの初期値を供給して、ＡＰＣを起動させる（Ｓ６００）。この結果、システムコントローラ６０は、ＷＲＤＡ設定値の初期値に応じたＲＳＨＯ信号のレベルを取得する（Ｓ６０１）。
【００５７】
つぎに、システムコントローラ６０は、取得したＲＳＨＯ信号のレベルを、算定しておいたＲＳＨＯ（１ｍＷ）と比較する。この比較の結果、取得したＲＳＨＯ信号のレベルがＲＳＨＯ（１ｍＷ）と一致しない場合には（Ｓ６０２：ＹＥＳ）、ＷＲＤＡ１０３に設定されたＷＲＤＡ設定値Ｙを増加させていき（Ｓ６０３）、以上の処理を繰り返し行う。そして、取得したＲＳＨＯ信号のレベルがＲＳＨＯ（１ｍＷ）と一致する場合（Ｓ６０２：ＮＯ）、このときＷＲＤＡ１０３に設定されたＷＲＤＡ設定値Ｙを変数ＷＲＤＡ（１ｍＷ）に格納して、メモリ７０に記憶しておく（Ｓ６０４）。
【００５８】
また、ＲＳＨＯ（１ｍＷ）をＲＳＨＯ（２ｍＷ）に変えて、同様な処理が再び行われる。この結果、ＲＳＨＯ（２ｍＷ）に一致したときのＷＲＤＡ１０３に設定されたＷＲＤＡ設定値Ｙが変数ＷＲＤＡ（２ｍＷ）に格納されて、メモリ７０に記憶される。この時点で、ＷＲＤＡ設定値ＹとＷＲＤＡ（Ｙ）のサンプルデータとしては、（１ｍＷ、ＷＲＤＡ（１ｍＷ））と（２ｍＷ、ＷＲＤＡ（２ｍＷ））の二つのサンプルデータが得られる。
【００５９】
そこで、この二つのサンプルデータに基づいて、ＷＲＤＡ設定値Ｙと、ＷＲＤＡ（Ｙ）とを対応づけた第２の対応づけ７００を算定して、メモリ７０に記憶しておく。第２の対応づけ７００におけるＷＲＤＡ（Ｙ）は、この値をＷＲＤＡ１０３に設定した場合のＬＤ２１のスペース区間の発光パワーと、ＲＥＤＡ設定値ＹをＲＥＤＡ１０２に設定した場合のＬＤ２１の発光パワーと、が一致するように、ＷＲＤＡ設定値Ｙを補正したものとなる。
【００６０】
ここで、第２の対応づけ７００は、図７に示すように、二つのサンプルデータを単純に直線で結んだ一次の回帰直線“ＷＲＤＡ（Ｙ）＝（ＷＲＤＡ＿２ｍＷ−ＷＲＤＡ＿１ｍＷ）×（ＷＲＤＡ設定値Ｙ−１ｍＷ）÷（２ｍＷ−１ｍＷ）＋ＷＲＤＡ＿１ｍＷ”とする。なお、第２の対応づけ７００は、二次以上の多項式や指数関数、対数関数などで表現される回帰曲線としてもよい。さらに、第２の対応づけ７００を算定するにあたっては、二つより多くのサンプルデータを求めた上で、最小二乗法などの近似アルゴリズムを適用してもよい。しかしながら、第２の対応づけ７００を一次の回帰直線とすることで、数多くのサンプルデータの取得や、複雑な演算処理を必要としなくなる。
【００６１】
システムコントローラ６０は、光ディスク記録時のＬＤ２１のスペース区間の発光パワーを任意のＸｍＷに設定したい場合、メモリ７０に記憶しておいた第２の対応づけ７０に基づいて、ＷＲＤＡ（ＸｍＷ）を算定する。そして、この算定したＷＲＤＡ（ＸｍＷ）をＷＲＤＡ１０３に設定してＡＰＣを起動することで、光ディスク１０への記録が開始されて、ＲＥＤＡ１０２にＸｍＷを設定した場合のＬＤ２１の発光パワーと同レベルなレーザ光が、光ディスク１０上のスペース区間に照射されるのである。
【００６２】
なお、第２の対応づけ７００をメモリ７０に記憶しておくまでの処理は、出荷前のＬＤ２１の調整時などで実施しておいてもよい。すなわち、工場出荷後、光ディスク１０への記録が行われる場合、第１の対応づけ５００や第２の対応づけ７００を改めて算定する必要がなくなる。
【００６３】
以上、本発明の実施形態について説明したが、前述した実施例は、本発明の理解を容易にさせるためのものであり、本発明を限定して解釈させるためのものではない。本発明は、その要旨を逸脱することなく、変更／改良され得るとともに、本発明にはその等価物も含まれる。
【００６４】
＝＝＝プログラム＝＝＝
本発明に係る機能は、前述した実施形態において、基本的には、光ディスク装置２００（特に、システムコントローラ６０）に実行させるプログラムとして、メモリ７０にファームウェア化されることとなる。  
そこで、本発明に係るレーザ素子の発光パワーの調整方法を光ディスク装置に対して実行させるべく、つぎのようなプログラムを提供する。  
すなわち、光ディスク装置に対して、追記型などの光ディスクを再生する場合に、ＦＭＤを介して観測されるＬＤの発光パワー（『再生レベル』）と、光ディスクへ記録を行う場合に、ＦＭＤを介して観測されるＬＤの発光パワー（『スペースレベル』）と、を一致させるべく調整を行わせるためのプログラムとする。
【図面の簡単な説明】
【００６５】
【図１】本発明の一実施形態に係る光ディスク装置のシステム構成を説明する図である。
【図２】光ディスク再生時の主要信号の波形図である。
【図３】光ディスク記録時の主要信号の波形図である。
【図４】本発明の一実施形態に係る光ディスク装置の処理を説明するためのフローチャートである。
【図５】本発明の一実施形態に係る光ディスク装置の処理を説明するための図である。
【図６】本発明の一実施形態に係る光ディスク装置の処理を説明するためのフローチャートである。
【図７】本発明の一実施形態に係る光ディスク装置の処理を説明するための図である。
【図８】従来の光ディスク記録・再生時の受光信号の波形図である。
【符号の説明】
【００６６】
１０  光ディスク
２０  光ピックアップ
２１  ＬＤ（レーザダイオード）
２２  ＦＭＤ（フロントモニタダイオード）
２３  ＰＤ（光検出器）
３０  ＬＤドライバー
４０  フロントエンド処理回路
５０  サーボ制御回路
６０  システムコントローラ
７０  メモリ
８０  エンコーダ／デコーダ
９０  インタフェース
１０１  ＳＨ（サンプル・ホールド）回路
１０２  ＲＥＤＡ（Ｄ／Ａコンバータ）
１０３  ＷＲＤＡ（Ｄ／Ａコンバータ）
１０４  スイッチ
１０５  ＡＰＣ回路
１０６  リードパワー信号発生回路
１０７  スイッチ
１１１  ＷＤＡＣ（Ｄ／Ａコンバータ）
１１２  ＡＣＣ回路
１１３  ＳＨ（サンプル・ホールド）回路
１１４  ＷＤＡＣ（Ｄ／Ａコンバータ）
１１５  ＡＰＣ回路
１１６  スイッチ
１１７  ライトパワー信号発生回路
１１８  スイッチ
１２０  ＡＤＣ（Ａ／Ｄコンバータ）
２００  光ディスク装置
３００  コンピュータ
５００  第１の対応づけ
７００  第２の対応づけ
【図１】
2005222666.tif 000003
【図２】
2005222666.tif 000004
【図３】
2005222666.tif 000005
【図４】
2005222666.tif 000006
【図５】
2005222666.tif 000007
【図６】
2005222666.tif 000008
【図７】
2005222666.tif 000009
【図８】
2005222666.tif 000010